(57)【要約】【課題】シートとの触覚刺激によってオキシトシン量を増加させる快感情喚起性能を客観的且つ定量的に評価できるシートの快感情喚起性能の評価方法を提供すること。【解決手段】本発明は、シートが、接触により快感情を喚起させる能力を有するか否か又は該能力の程度を評価する、シートの快感情喚起性能の評価方法である。当該評価方法は、以下の工程（Ａ）〜（Ｄ）を含む。  （Ａ）動物の皮膚又は毛に、評価対象である試験シートを接触させて該動物に触覚刺激を付与する工程  （Ｂ）前記触覚刺激の付与後に前記動物から生体試料を採取する工程  （Ｃ）前記生体試料中のオキシトシン量を測定する工程  （Ｄ）測定した前記オキシトシン量を、前記触覚刺激の影響がない条件下に前記動物から採取した生体試料中のオキシトシン量と比較する工程【選択図】図２
2019207233.tif 000002
【特許請求の範囲】
【請求項１】
シートが、接触により快感情を喚起させる能力を有するか否か又は該能力の程度を評価する、シートの快感情喚起性能の評価方法であって、
以下の工程（Ａ）〜（Ｄ）を含む、シートの快感情喚起性能の評価方法。
（Ａ）動物の皮膚又は毛に、評価対象である試験シートを接触させて該動物に触覚刺激を付与する工程
（Ｂ）前記触覚刺激の付与後に前記動物から生体試料を採取する工程
（Ｃ）前記生体試料中のオキシトシン量を測定する工程
（Ｄ）測定した前記オキシトシン量を、前記触覚刺激の影響がない条件下に前記動物から採取した生体試料中のオキシトシン量と比較する工程
【請求項２】
前記工程（Ｂ）においては、前記触覚刺激の付与後６０分以内に前記動物から生体試料を採取する、請求項１に記載の評価方法。
【請求項３】
前記試験シートは、オキシトシン又はオキシトシン誘発剤を含んでいない、請求項１又は２に記載の評価方法。
【請求項４】
前記触覚刺激の影響がない時点は、該触覚刺激の付与前である、請求項１〜３の何れか１項に記載の評価方法。
【請求項５】
前記工程（Ａ）においては、前記動物の皮膚の有毛部又は無毛部を、前記試験シートの表面に接触させた状態で移動させることによって、前記動物に触覚刺激を付与する、請求項１〜４の何れか１項に記載の評価方法。
【請求項６】
前記工程（Ａ）においては、前記動物に前記触覚刺激を連続的又は断続的に３０秒以上付与する、請求項１〜５の何れか１項に記載の評価方法。
【請求項７】
前記生体試料は、血液、血清、血漿、尿、又は唾液である、請求項１〜６の何れか１項に記載の評価方法。
【請求項８】
複数のシートについて、請求項１〜７の何れか１項に記載の評価方法による評価を行い、その評価結果に基づき選定したシートを肌に当接させる構成部材として決定する、吸収性物品の設計方法。
【請求項９】
請求項８に記載の設計方法により設計した吸収性物品を、前記選定したシートを用いて製造する、吸収性物品の製造方法。
【請求項１０】
以下の工程（Ａ）〜（Ｃ）、工程（Ｄ）及び（Ｅ）を含むシートの評価方法により、接触により快感情を喚起させる能力を有すると判定される、快感情喚起シート。
（Ａ）動物の皮膚又は毛に、評価対象である試験シートを接触させて該動物に触覚刺激を付与する工程
（Ｂ）前記触覚刺激の付与後に前記動物から生体試料を採取する工程
（Ｃ）前記生体試料中のオキシトシン量を測定する工程
（Ｄ）測定した前記オキシトシン量を、前記触覚刺激の影響がない条件下に前記動物から採取した生体試料中のオキシトシン量と比較する工程
（Ｅ）前記工程（Ｄ）における比較により、オキシトシン量の変化率又はオキシトシン量の差に基づいて、前記試験シートが、接触により快感情を喚起させる能力を有することを判定する工程
【請求項１１】
前記工程（Ｂ）においては、前記触覚刺激の付与後６０分以内に前記動物から生体試料を採取する、請求項１０に記載の快感情喚起シート。
【請求項１２】
前記工程（Ｄ）においては、測定した前記オキシトシン量が、前記触覚刺激を付与した個体群から採取した生体試料中のオキシトシン量であり、該オキシトシン量を、前記触覚刺激を付与しない別の個体群から採取した生体試料中のオキシトシン量と比較し、
前記工程（Ｅ）においては、前記工程（Ｄ）における比較により、オキシトシン量の差に基づいて、前記試験シートが、接触により快感情を喚起させる能力を有することを判定する、請求項１０又は１１に記載の快感情喚起シート。
【請求項１３】
前記快感情喚起シートは、圧縮仕事量が２．０ｍＮ・ｃｍ／ｃｍ２以上であり、且つ圧縮回復率が４０％以上である、請求項１０〜１２の何れか１項に記載の快感情喚起シート。
【請求項１４】
前記快感情喚起シートは、少なくとも一方の面の平均摩擦係数ＭＩＵが０．３以下である、請求項１０〜１３の何れか１項に記載の快感情喚起シート。
【請求項１５】
前記快感情喚起シートは、繊度３．３ｄｔｅｘ以下の繊維を含んでおり、該繊維の一部が該シートの表面の一部に露出している、請求項１０〜１４の何れか１項に記載のシート。
【請求項１６】
請求項１０〜１５の何れか１項に記載のシートを用いた乳幼児用の物品であって、該シートの何れか一方の面がヒトの皮膚に接触可能に配されており、
前記物品が、衣類、装着品、おむつ、寝具又は玩具である、物品。
【発明の詳細な説明】
【技術分野】
【０００１】
本発明は、シートの快感情喚起性能の評価方法及び快感情喚起シートに関する。
【背景技術】
【０００２】
使い捨ておむつ等の吸収性物品において、使用者に持続的に安らかな気持ちを抱かせる観点から、該吸収性物品の構成部材に、オキシトシン又はオキシトシンを誘発させる香料成分を含有させたものが知られている。例えば、特許文献１には、オキシトシン又はオキシトシンを誘発する成分が付与された取付け部材を着脱可能に備えた吸収性物品が開示されている。また、特許文献２には、所定応力によって香料成分を放出する香料物質が付与された特定部位を備えており、該香料成分がオキシトシン又はオキシトシンを誘発する成分を含んでいる、吸収性物品が開示されている。
【先行技術文献】
【特許文献】
【０００３】
【特許文献１】国際公開第２０１４／０９２０８７号
【特許文献２】特開２０１４−１１３３０２号公報
【非特許文献】
【０００４】
【非特許文献１】Lieberwirth and Wang, CURRENT OPINION IN NEUROBIOLOGY, doi: 10.1016/j.conb.2016.05.006, 2016.
【非特許文献２】Loken et al., NATURE NEUROSCIENCE, Vol. 12, p547-548, 2009
【非特許文献３】引間理恵ら, 第35回日本生理心理学会大会プログラム・予稿集, 59, 2017
【非特許文献４】Morhenn et al., Altern. Ther. Health. Med., 18, 11-18, 2012
【非特許文献５】Andari E., et al., 2010, Proc Natl Acad Sci U S A, 107(9):4389-94.
【発明の概要】
【発明が解決しようとする課題】
【０００５】
オキシトシンは、主に脳の視床下部で合成されるペプチドホルモンであり、生物間の愛着形成や社会性形成に関与することが報告されている（非特許文献１）。
しかしながら、特許文献１及び２に記載の吸収性物品のように、吸収性物品の構成部材にオキシトシン自体あるいはオキシトシン誘発物質を付与すると、これら物質と接触した着用者等の使用者に過度な生理的影響を引き起こす虞がある。また、これら物質の付加量の調整には細心の注意を払う必要がある。
【０００６】
ところで、近年、種々の触覚刺激によって、心地良いと感じる快感情が喚起されることが報告されている。例えば、非特許文献２では、快感情ブラシ部材で皮膚を撫でることによって付与される触覚刺激が、Ｃ線維によって脳に伝えられ、快感情が喚起されることが報告されている。非特許文献３では、閉眼で顔肌を掌で包みこむように抑えることによって、幸福感、満足感、贅沢感、好緊張感等の快感情が喚起されることが報告されている。
【０００７】
また、非特許文献４では、快感情を喚起させる触覚刺激の一つであるマッサージが、生体内のオキシトシン（Oxytocin）量を増加させることが報告されている。また、オキシトシンを経鼻に付与することでの生体内のオキシトシン量増加により、触覚に起因する快感情が上昇すること（非特許文献５）が報告されている。
このように、触覚刺激と生体内のオキシトシン量との関係が報告されているが、生体内のオキシトシン量を増加させる触覚刺激がどのような感触のものであるかは解明されておらず、斯かる感触の特定にはさらなる検討が必要である。
【０００８】
本発明者等は、触覚刺激によってオキシトシン量を増加させる快感情喚起性能を有するシートについて検討したところ、快感情喚起性能を客観的且つ定量的に評価できる評価方法を見出した。
【課題を解決するための手段】
【０００９】
本発明は、シートが、接触により快感情を喚起させる能力を有するか否か又は該能力の程度を評価する、シートの快感情喚起性能の評価方法を提供するものである。
以下の工程（Ａ）〜（Ｄ）を含む、シートの快感情喚起性能の評価方法。
（Ａ）動物の皮膚又は毛に、評価対象である試験シートを接触させて該動物に触覚刺激を付与する工程
（Ｂ）前記触覚刺激の付与後に前記動物から生体試料を採取する工程
（Ｃ）前記生体試料中のオキシトシン量を測定する工程
（Ｄ）測定した前記オキシトシン量を、前記触覚刺激の影響がない条件下に前記動物から採取した生体試料中のオキシトシン量と比較する工程
【００１０】
また、本発明は、複数のシートについて、前記評価方法による評価を行い、その評価結果に基づき選定したシートを肌に当接させる構成部材として決定する、吸収性物品の設計方法を提供するものである。
【００１１】
また、本発明は、前記設計方法により設計した吸収性物品を、前記選定したシートを用いて製造する、吸収性物品の製造方法を提供するものである。
【００１２】
また、本発明は、以下の工程（Ａ）〜（Ｃ）、工程（Ｄ）及び（Ｅ）を含むシートの評価方法により、接触により快感情を喚起させる能力を有すると判定される、快感情喚起シートを提供するものである。
（Ａ）動物の皮膚又は毛に、評価対象である試験シートを接触させて該動物に触覚刺激を付与する工程
（Ｂ）前記触覚刺激の付与後に前記動物から生体試料を採取する工程
（Ｃ）前記生体試料中のオキシトシン量を測定する工程
（Ｄ）測定した前記オキシトシン量を、前記触覚刺激の影響がない条件下に前記動物から採取した生体試料中のオキシトシン量と比較する工程
（Ｅ）前記（Ｄ）工程における比較により、オキシトシン量の変化率又はオキシトシン量の差に基づいて、前記試験シートが接触により快感情を喚起させる能力を有することを判定する工程
【００１３】
また、本発明は、前記シートを用いた物品であって、該シートの何れか一方の面がヒトの皮膚に接触可能に配されており、前記物品が、衣類、装着品、装具、寝具、カバー又は玩具である、物品を提供するものである。
【００１４】
また、本発明は、前記シートを用いた乳幼児用の物品であって、該シートの何れか一方の面がヒトの皮膚に接触可能に配されており、前記物品が、衣類、装着品、おむつ、寝具又は玩具である、物品を提供するものである。
【発明の効果】
【００１５】
本発明によれば、シートとの触覚刺激によってオキシトシン量を増加させる快感情喚起性能を客観的且つ定量的に評価できる。また、オキシトシン自体あるいはオキシトシン誘発物質を用いることなく、オキシトシン量を増加させる性能を有するシートや、該シートを用いた物品又は乳幼児用の物品を提供することができる。
【図面の簡単な説明】
【００１６】
【図１】図１は、本発明の評価方法において、触覚刺激を付与する態様の一例を示す模式図である。
【図２】図２は、本発明に係る試験シートを構成部材として具備する物品を用いて、触覚刺激を付与する態様の一例を示す模式図である。
【図３】図３は、実施例１及び２、並びに比較例１の触覚刺激前後におけるオキシトシン量を示すグラフである。
【発明を実施するための形態】
【００１７】
本発明は、シートが、接触により快感情を喚起させる能力を有するか否か又は該能力の程度を評価する評価方法である。接触により快感情を喚起させる能力を、快感情喚起性能ともいう。
【００１８】
以下、本発明の評価方法をその好ましい実施態様に基づき図面を参照しながら説明する。
本実施態様では、以下の工程（Ａ）〜（Ｄ）を含む。
（Ａ）動物の皮膚又は毛に、評価対象である試験シートを接触させて該動物に触覚刺激を付与する工程
（Ｂ）前記触覚刺激の付与後に前記動物から生体試料を採取する工程
（Ｃ）前記生体試料中のオキシトシン量を測定する工程
（Ｄ）測定した前記オキシトシン量を、前記触覚刺激の影響がない条件下で前記動物から採取した生体試料中のオキシトシン量と比較する工程
【００１９】
前記工程（Ａ）において、試験シートを接触させる動物は、オキシトシンを産生する、ヒトを含む哺乳類であり、ヒトの他、イヌ等のペット、ウシ、ブタ等の家畜、チンパンジー、サル、ウサギ、モルモット、ラット、マウス等のその他の非ヒト動物が挙げられる(Yamashita and Kitano, Mol. Phylogenet. Evol., 2013, 2, 520-528)。
【００２０】
前記動物には、該動物の皮膚又は毛に、試験シートを接触させることで、触覚刺激を付与する。試験シートと接触させる動物の部位を、接触部ともいう。接触部としては、動物の皮膚又は毛であれば特に制限されず、例えば、手指や掌、手の甲等の手、上腕、肘、下腕、足の指や足の裏等の足、太腿、背中、胸、肩、首、頭、臀部等が挙げられる。皮膚は、毛根の有無により皮膚を分類したとき、毛根を有する有毛部と、毛根を有しない無毛部とに分けられるが、皮膚は有毛部及び無毛部の何れかであってもよく、両方であってもよい。本実施態様において、無毛部としては、掌、足の裏等が挙げられるが、粘膜部は除外される。動物の「毛」は、頭髪や体毛を含む。
【００２１】
触覚刺激は、試験シートと接触部とを接触させることにより知覚される刺激である。触覚刺激をより確実に付与する観点から、試験シートを固定した状態で、接触部と接触させることが好ましい。この場合、試験シートの片方の面と、接触部とが接触する。本明細書において接触部と接触するシートの片方の面を「肌当接面」ともいう。
工程（Ａ）では、接触部が試験シートと接触したまま、静止する静止状態で触覚刺激が付与されてもよく、接触部が試験シートと接触したまま、移動する運動状態で触覚刺激が付与されてもよい。触覚刺激をより確実に付与する観点から、運動状態で触覚刺激を付与することが好ましい。運動状態における触覚刺激としては、接触部が試験シートを平面方向に撫でる態様や、接触部が試験シートをその厚み方向に軽く押す態様等が挙げられる。
接触部と試験シートとの接触は、動物自身が自発的に行ってもよく、強制的に行ってもよい。
【００２２】
工程（Ａ）において、触覚刺激を連続的に付与してもよく、断続的に付与してもよい。触覚刺激を断続的に付与する態様としては、接触部と試験シートとを接触させて触覚刺激を付与した後、接触部を何も接触させない安静状態とする、触覚刺激の付与と、安静状態を交互に行う態様が挙げられる。
触覚刺激を付与する時間は、特に制限されないが、触覚刺激を断続的に付与する場合、接触部と試験シートとを接触させた合計時間を、触覚刺激を付与する時間として設定することが好ましい。
【００２３】
前記工程（Ｂ）は、工程（Ａ）で触覚刺激を付与された動物から生体試料を採取する。動物から生体試料を採取するタイミングは、触覚刺激の付与後であり、好ましくは触覚刺激の付与後６０分以内であるが、触覚刺激を付与している最中であって、触覚刺激を付与する時間が所定時間となった時点であってもよい。また、触覚刺激の付与後、接触部を安静状態としてから所定時間経過した時点であってもよい。
【００２４】
前記工程（Ｂ）において、採取する生体試料は、具体的には、血液、尿、唾液、リンパ液などが挙げられる。血液から、公知の方法により血漿、血清、血球（赤血球、白血球）を分画し、これらの何れかを生体試料としてもよい。
採取後の生体試料は直ちにドライアイス等にて凍結保存するのが好ましい。
【００２５】
前記工程（Ｃ）は、工程（Ｂ）において採取した生体試料中のオキシトシン量を測定する。オキシトシン量を測定する方法は特に制限されず、液体クロマトグラフ（ＨＰＬＣ）、液体クロマトグラフ質量分析計（ＬＣ−ＭＳ）、液体クロマトグラフタンデム型質量分析計（ＬＣ−ＭＳ／ＭＳ）、ガスクロマトグラフ質量分析計（ＧＣ−ＭＳ）、あるいは酵素免疫測定法（ＥＬＩＳＡ）などの免疫学的手法を用いることができる。これらの測定条件は公知であり、常法に従い容易に定量することができる。前記ＥＬＩＳＡ法は、例えばOxytocin ELISA kit (Enzo)を使用して実施することができる。
【００２６】
前記工程（Ｄ）は、工程（Ｃ）において測定されたオキシトシン量と、触覚刺激の影響がない条件下に動物から採取した生体試料中のオキシトシン量とを比較し、快感情喚起性能の有無を確認する。工程（Ｄ）における生体試料中のオキシトシン量の比較は、同一個体の動物から採取した、触覚刺激付与後の生体試料と、触覚刺激の影響がない時点の生体試料とを比較する同一個体比較であってもよい。この場合、「触覚刺激の影響がない条件下に動物から採取した生体試料」は、「触覚刺激の影響がない時点の生体試料」である。
【００２７】
前記同一個体比較において、触覚刺激の影響がない時点とは、触覚刺激によってオキシトシン量に変化が生じ得ない時点のことを意味しており、例えば、触覚刺激の付与後に一定時間が経過して該触覚刺激によるオキシトシン量の変化が収まった時点や、触覚刺激の付与前が挙げられる。
即ち、工程（Ｄ）において同一個体比較を行う場合、以下の工程（Ｄ１）及び（Ｄ２）の何れか一方を実施する。
（Ｄ１）測定した前記オキシトシン量を、前記触覚刺激を付与する前に前記動物から採取した生体試料中のオキシトシン量と比較する工程
（Ｄ２）測定した前記オキシトシン量を、前記触覚刺激を付与した後に、該触覚刺激によるオキシトシン量の変化が収まった時点で前記動物から採取した生体試料中のオキシトシン量と比較する工程
【００２８】
また、工程（Ｄ）における生体試料中のオキシトシン量の比較は、触覚刺激を付与した個体群から得た生体試料と、触覚刺激を付与しない別の個体群から得た生体試料とを比較する個体群間比較であってもよい。これら両個体群は、種類、年齢、性別、出産経験・育児経験の有無等の因子が合致した、同様の属性を有するものどうしであることが好ましい。個体群間比較を行う場合、前記「触覚刺激の影響がない条件下」は、「触覚刺激を付与しない別の個体群」である。
工程（Ｄ）において、前記個体群間比較をする場合、以下の工程（Ｄ３）を実施する。
（Ｄ３）測定した前記オキシトシン量が触覚刺激を付与した個体群から採取した生体試料のオキシトシン量であり、該オキシトシン量を、前記触覚刺激を付与しない別の個体群から採取した生体試料中のオキシトシン量と比較する工程
【００２９】
前記工程（Ｄ１）〜（Ｄ３）において、触覚刺激の影響がない条件下に動物から採取した生体試料中のオキシトシン量を、定常時オキシトシン量ともいう。また、工程（Ｃ）において測定されたオキシトシン量を、触覚刺激時オキシトシン量ともいう。
【００３０】
前述したように、オキシトシン量の増加は、快感情を喚起し得る。そのため、工程（Ｄ）において、触覚刺激時オキシトシン量が、定常時オキシトシン量に比して多い場合、試験シートは快感情喚起性能を有することが分かる。
一方、触覚刺激時オキシトシン量が、定常時オキシトシン量と同じかそれよりも少ない場合、試験シートは快感情喚起性能を有しないことが分かる。このように、触覚刺激時オキシトシン量を、定常時オキシトシン量と比較することで、オキシトシン量を増加させる性能を客観的且つ定量的に評価することができる。これにより、快感情喚起性能を有するシートの探索や、シートが有する快感情喚起性能の程度の評価が可能となり、触覚刺激によりオキシトシン量を増加させ得るシートの開発を効率的に行うことができる。
【００３１】
前記工程（Ｄ）におけるオキシトシン量の比較による快感情喚起性能の有無の判定は、例えば定常時オキシトシン量に対する触覚刺激時オキシトシン量の変化率（％）に基づいて行ってもよく、定常時オキシトシン量と触覚刺激時オキシトシン量との差に基づいて行ってもよい。前記変化率（％）に基づいて比較を行う場合、定常時オキシトシン量に対する触覚刺激時オキシトシン量の変化率が所定値以上、例えば好ましくは１０％以上、より好ましくは３０％以上増加していれば、試験シートは快感情喚起性能を有することを判定する。前記工程（Ｄ）において同一個体比較を行う場合、即ち前記工程（Ｄ１）又は（Ｄ２）を実施する場合、定常時オキシトシン量に対する触覚刺激時オキシトシン量の割合、即ちオキシトシン量の変化率が、好ましくは１０％以上、より好ましくは３０％以上に増加していれば、試験シートは快感情喚起性能を有すると判定する。前記工程（Ｄ）において個体群比較を行う場合、即ち前記工程（Ｄ３）を行う場合、触覚刺激を付与した個体群から採取した生体試料のオキシトシン量が、触覚刺激を付与していない個体群から採取した生体試料中のオキシトシン量に対して好ましくは１０％以上、より好ましくは３０％以上高い値であれば、試験シートは快感情喚起性能を有すると判定する。
【００３２】
また、快感情喚起性能の有無の判定を、定常時オキシトシン量と触覚刺激時オキシトシン量との差に基づいて行う場合、前記工程（Ｄ）においては、触覚刺激時オキシトシン量が定常時オキシトシン量に比して多いことを前提に、定常時オキシトシン量と触覚刺激時オキシトシン量との差を求め、その差が所定値以上である場合に、試験シートは快感情喚起性能を有すると判定してもよい。前記の差が所定値以上であるか否かは、例えば「定常時オキシトシン量」に対する「定常時オキシトシン量と触覚刺激時オキシトシン量との差」の比率に基づいて判断することができる。この比率を、単に「差の比率」ともいう。前記差の比率Ｈは、定常時オキシトシン量をＨ１、触覚刺激時オキシトシン量をＨ２としたとき、次式により表される。
差の比率Ｈ（％）＝〔（Ｈ２−Ｈ１）／Ｈ１〕×１００
前記工程（Ｄ）において前記工程（Ｄ１）又は（Ｄ２）を実施する場合、前記差の比率Ｈが所定値以上、例えば好ましくは１０％以上、より好ましくは３０％以上高い値となっていれば、試験シートは快感情喚起性能を有すると判定する。また、前記工程（Ｄ）において前記工程（Ｄ３）を実施する場合、触覚刺激を付与した個体群から採取した生体試料のオキシトシン量を触覚刺激時オキシトシン量Ｈ２とし、触覚刺激を付与していない個体群から採取した生体試料中のオキシトシン量を定常時オキシトシン量Ｈ１としたとき、前記差の比率Ｈが好ましくは１０％以上、好ましくは３０％以上高い値となっていれば、試験シートは快感情喚起性能を有すると判定する。
また、定常時オキシトシン量と触覚刺激時オキシトシン量との差が所定値以上であるか否かは、当該差の絶対量に基づいて判断してもよい。
【００３３】
上述した快感情喚起性能の有無の判定は、後述する工程（Ｅ）にて行う。
【００３４】
前記工程（Ｄ）において前記工程（Ｄ３）を実施する場合、ｔ検定、Mann-WhitneyのU検定、Wilcoxon符号順位和検定、Dunnett検定等の統計学的検定法によって、定常時及び触覚刺激時の２群間のオキシトシン量に有意差があるか否かを求めてもよい。
【００３５】
オキシトシン又はオキシトシン誘発剤による過度な生理的影響を受ける虞を防止する観点から、本実施態様の評価方法において、試験シートはオキシトシン又はオキシトシン誘発剤を含んでいないことが好ましい。本実施態様の評価方法では、オキシトシン又はオキシトシン誘発剤を含まずとも、接触によりオキシトシン量を増加し得るシートを探索することができる。
【００３６】
オキシトシン誘発剤としては、例えば、母乳を主成分として含む物、あるいは、ローズ油、エチルトリメチルシクロペンテニルブテノール、メチルトリメチルシクロペンテニルペンタノール、及びヘキサヒドロヘキサメチルシクロペンタベンゾピランなどが知られている（特許文献１）。
【００３７】
前記工程（Ｄ）においては、触覚刺激時及び定常時のオキシトシン量を比較するが、快感情喚起性能の評価をより精度良く行う観点から、定常時オキシトシン量は、試験シートの接触による触覚刺激を付与する前のオキシトシン量であることが好ましい。即ち、工程（Ｄ）においては、前記工程（Ｄ１）を実施することが好ましい。
試験シートの接触による触覚刺激を付与する前において生体試料を採取するタイミングは、触覚刺激を付与する３０分前から直前（０分前）までの間が好ましく、１５分前から直前（０分前）までの間がより好ましい。生体試料の採取は、触覚刺激を付与する前に終了するものとする。生体試料の採取にかかる時間は、例えば５分以上１５分以内である。
【００３８】
動物に触覚刺激を容易に付与する観点から、前記工程（Ａ）においては、動物の皮膚の有毛部又無毛部を、試験シートを接触させた状態で移動させることによって、動物に触覚刺激を付与することが好ましい。即ち、接触部が皮膚の有毛部又は無毛部であることが好ましい。「有毛部」としては、手の甲、前腕背側部、顔面頬部が好ましく、手の甲がより好ましい。「無毛部」としては、掌、足底が好ましく、掌がより好ましい。ここでいう掌には、手首から各指の付け根にかけての狭義の掌に加えて、各指の腹側部分も含まれる。
【００３９】
触覚刺激以外の刺激による、オキシトシン量の影響を低減させる観点から、図１に示すように、試験シートを目視できない状態で触覚刺激を付与することが好ましい。図１に示す態様では、手を出し入れ可能に開口部を設けたブラインドボックスＢ内に、試験シートＳを載置し、該開口部から入れた手と該試験シートＳとを接触させることにより、触覚刺激を付与している。
【００４０】
また、シートの使用用途に応じた態様における、シートの快感情喚起性能を精度良く判定又は評価する観点から、図２に示すように試験シートを使用用途に応じた形に加工した上で、視覚的に試験シートを認識しながら触覚刺激を付与することもできる。図２に示す態様では、試験シートＳをおむつの表面シート１２としておむつに組み込み手を該試験シートＳに接触させることにより、触覚刺激を付与している。動物がヒトである場合は、快感情喚起性能をより精度良く判定又は評価する観点から、「使い捨ておむつの素材の評価」であることを知らせた上で、触覚刺激を付与することが好ましい。
【００４１】
図１に示す態様では、ヒトの片方の掌と試験シートＳとを接触させて、触覚刺激をヒトに付与しているが、図２に示す態様のように、ヒトの両方の掌と試験シートＳとを接触させて、触覚刺激をヒトに付与してもよい。図２では、２枚のおむつ１０を用意し、左右の掌それぞれとおむつ１０の表面シート１２とを接触させている。
図２に示すおむつ１０は、表面シート１２、裏面シート（不図示）及びこれら両シート間に配置された吸収体１４を具備している。表面シート１２は、着用者の皮膚と接触可能な位置に配されている。
【００４２】
シートの快感情喚起性能を容易に顕在化させる観点から、接触部を、試験シートの表面に接触させた状態で移動させることによって、動物に触覚刺激を付与することが好ましい。即ち、前述の運動状態で触覚刺激を付与することが好ましい。
上記の効果をより確実に奏させる観点から、動物の皮膚の有毛部又は無毛部に、運動状態で触覚刺激を付与することが好ましい。例えば、皮膚における手の甲等の有毛部又は掌等の無毛部を、試験シートの表面に接触させた状態で移動させる。この場合、有毛部又は無毛部は、試験シートの表面と平行な方向に移動させることが好ましく、該表面と平行な、一方向及びその逆方向に、繰り返し往復させることがより好ましい。
触覚刺激を付与する際、有毛部又は無毛部等の接触部を移動する移動速度は特に限定されない。また、前記接触部を往復させて移動する場合、その往復の回数は特に制限されないが、往路及び復路それぞれ１０回以上３００回以下が好ましく、１５回以上２００回以下がより好ましい。
【００４３】
動物の掌に、運動状態で触覚刺激を付与する場合、例えば、図１に示すように、何れか片方の掌と試験シートの表面とを接触させてもよく、両方の掌と試験シートの表面とを接触させてもよい。
【００４４】
動物に触覚刺激をより確実に付与する観点から、前記工程（Ａ）においては、動物に触覚刺激を連続的又は断続的に付与する時間は、好ましくは３０秒以上、より好ましくは４５秒以上、さらに好ましくは６０秒以上であり、また好ましくは６００秒以下、より好ましくは４５０秒以下、さらに好ましくは３００秒以下であり、また好ましくは３０秒以上６００秒以下、より好ましくは４５秒以上４５０秒以下、さらに好ましくは６０秒以上３００秒以下である。
上記の効果をより確実に奏させる観点から、動物に触覚刺激を連続的に付与することが好ましく、該触覚刺激を連続的に付与する時間は、好ましくは３０秒以上、より好ましくは４５秒以上、さらに好ましくは６０秒以上であり、また好ましくは３００秒以下、より好ましくは２４０秒以下、さらに好ましくは１８０秒以下であり、また好ましくは３０秒以上３００秒以下、より好ましくは４５秒以上２４０秒以下、さらに好ましくは６０秒以上１８０秒以下である。
【００４５】
触覚刺激時の接触部及びその近位部の肉体的疲労、さらに、触覚刺激のために動物の動きを制限することによる精神的疲労を避ける観点から、工程（Ａ）において、触覚刺激を断続的に付与することが好ましい。この場合、工程（Ａ）では、触覚刺激を付与する工程、及び安静状態とする工程のサイクルを繰り返すが、触覚刺激を付与する時間は、好ましくは１５秒以上１８０秒以下、より好ましくは３０秒以上１２０秒以下とする。また、安静状態とする時間は、好ましくは１５秒以上１８０秒以下、より好ましくは３０秒以上１２０秒以下とする。触覚刺激を付与する工程、及び安静状態とする工程のサイクルは、好ましくは３回以上１５回以下、より好ましくは５回以上１０回以下行う。
【００４６】
触覚刺激付与後にオキシトシン量が増加する効果を精度良くモニターする観点から、工程（Ｂ）では、触覚刺激の付与後、好ましくは５０分以内、より好ましくは４０分以内に動物から生体試料を採取する。また、触覚刺激を連続的又は断続的に付与する時間を考慮に入れて、触覚刺激の付与開始時から計測すると、動物からの生体試料の採取は、該付与開始時から好ましくは６５分以内、より好ましくは５５分以内、さらに好ましくは４５分以内に行う。触覚刺激を断続的に付与する場合、触覚刺激の付与開始時から生体試料の採取までの間に、触覚刺激を付与する工程、及び安静状態とする工程のサイクルが繰り返される。
【００４７】
前記工程（Ｂ）において採取する生体試料は特に制限されないが、採取作業を容易に行う観点から、血液、血清、血漿、尿、又は唾液であることが好ましく、唾液であることがより好ましい。
生体試料として血液、血清又は血漿を採取する場合、採血方法、血液からの血清又は血漿の分離方法は、公知の方法により行うことができる。
生体試料として唾液を採取する場合、その採取方法は特に制限されず、吐唾法、ワッテ法等により行うことができる。例えば、口腔内を水で漱口後、全唾液を所定の容器内に吐き出させることにより行われる。
【００４８】
次に本発明の快感情喚起シートについて、その好ましい実施形態に基づき説明する。本実施形態の快感情喚起シートは、上述した実施態様の評価方法における工程（Ａ）〜（Ｄ）に加え、下記工程（Ｅ）を実施することで、快感情喚起性能を有すると判定されたシートである。即ち、快感情喚起シートは、該シートとの接触によって、オキシトシン量を増加することができ、快感情を喚起させ得る。本実施形態の快感情喚起シートについては、矛盾しない限り、上述した実施態様の評価方法の説明が適宜適用される。
（Ｅ）前記工程（Ｄ）における比較により、オキシトシン量の変化率又はオキシトシン量の差に基づいて、前記試験シートが、接触により快感情を喚起させる能力を有することを判定する工程
【００４９】
前記工程（Ｅ）では、前述した工程（Ｄ１）〜（Ｄ３）の何れか一方の工程におけるオキシトシン量の比較により、試験シートが接触により快感情を喚起させる能力を有すると判定する。オキシトシン量の比較においては、有意差があるか否かを求めてもよい。前記有意差の有無は、前述したｔ検定、Mann-WhitneyのU検定、Wilcoxon符号順位和検定、Dunnett検定等の統計学的検定法を用いることによって確認することができる。
【００５０】
快感情喚起性能をより確実に備える観点から、快感情喚起シートは、前記工程（Ｄ１）において測定されたオキシトシン量と触覚刺激を付与する前の動物から採取した生体試料中のオキシトシン量とを比較するか、又は前記工程（Ｄ３）において測定されたオキシトシン量と、触覚刺激を付与しない別の個体群から採取した生体試料中のオキシトシン量とを比較し、前記工程（Ｅ）において快感情喚起性能を有すると判定されたものであることが好ましい。前記評価方法において、前記工程（Ｄ３）及び工程（Ｅ）により、快感情喚起性能の有無を判定する場合、前記工程（Ｅ）においては、前記（Ｄ３）工程における比較により、オキシトシン量の差に基づいて、前記試験シートが、接触により快感情を喚起させる能力を有することを判定することが好ましい。換言すれば、快感情シートは、前記工程（Ｄ３）及び工程（Ｅ）を具備する評価方法において、オキシトシン量の差に基づいて、快感情喚起性能を有すると判定されることが好ましい。
【００５１】
前記工程（Ｅ）において、「快感情喚起性能を有することを判定する」とは、該快感情喚起性能の有無を判定することだけでなく、該快感情喚起性能の程度を評価することも含まれる。即ち、快感情喚起シートは、前記工程（Ｅ）において、快感情喚起性能を有すると判定された上で、さらに該快感情喚起性能の高低が評価されたシートであってもよい。
【００５２】
本発明者らは、シートがふんわりと柔らかく、温かい感触であり、滑らかで、心地良い肌触りを有すること等が、快感情の喚起に寄与していると考察している。
上記の考察に基づき、快感情喚起性能を向上させる観点から、快感情喚起シートは、以下の物性を有していることが好ましい。
快感情喚起シートは、圧縮仕事量ＷＣが好ましくは２．０ｍＮ・ｃｍ／ｃｍ２以上、より好ましくは２．５ｍＮ・ｃｍ／ｃｍ２以上、さらに好ましくは３．５ｍＮ・ｃｍ／ｃｍ２以上であり、また好ましくは２０ｍＮ・ｃｍ／ｃｍ２以下である。圧縮仕事量は、シートのクッション性の尺度となるものであり、ＷＣ値が大きいほどクッション性が高いと評価できる。
【００５３】
快感情喚起シートは、圧縮回復率ＲＣが好ましくは４０％以上、より好ましくは４６％以上、さらに好ましくは５２％以上であり、また好ましくは８５％以下である。圧縮回復率は、シートを圧縮し、圧縮状態を解放したときの回復の程度を示す尺度であり、ＲＣ値が大きいほど圧縮回復性が高いと評価できる。
圧縮仕事量ＷＣ及び圧縮回復率ＲＣ、並びに後述する平均摩擦係数ＭＩＵは、以下の書籍に記載の方法に従い、カトーテック株式会社製のＫＥＳＦＢ４−ＡＵＴＯ−Ａ（商品名）を用いて測定する。川端季雄著、「風合い評価の標準化と解析」、第２版、社団法人日本繊維機会学会 風合い計量と規格化研究委員会、昭和５５年７月１０日発行
【００５４】
〔圧縮仕事量ＷＣ及び圧縮回復率ＲＣの測定方法〕
快感情喚起シートから、２０ｃｍ×１０ｃｍの試験片を切り出し、試験台に取りつける。次に、その試験片を面積２ｃｍ２の円形平面を持つ鋼板間で圧縮する。圧縮速度は０．０２ｃｍ／ｓｅｃ、圧縮最大荷重は５０ｇ／ｃｍ２とする。回復過程も同一速度で測定を行う。圧縮仕事量（ＷＣ）及び回復仕事量（ＷＣ’）はそれぞれ次式で表される。回復仕事量（ＷＣ’）は、圧縮状態から元の状態にまで回復した時のエネルギーを示す。式中、Ｔｍ、Ｔｏは、それぞれ４９ｃＮ／ｃｍ２荷重時の厚み、０．４９ｃＮ／ｃｍ２荷重時の厚みを示す。また、式中のＰａは測定時（圧縮過程）の荷重（ｃＮ／ｃｍ２）、Ｐｂは測定時（回復過程）の荷重（ｃＮ／ｃｍ２）を示す。
圧縮回復率（ＲＣ）は、圧縮時の圧縮仕事量（ＷＣ）と、圧縮状態から元の状態にまで戻したときの回復仕事量（ＷＣ’）との比である〔ＷＣ’／ＷＣ〕×１００で表される。
【００５５】
【数１】
2019207233.tif 000003
【００５６】
【数２】
2019207233.tif 000004
【００５７】
快感情喚起性能をより向上させる観点から、快感情喚起シートは、少なくとも一方の面が、以下の表面特性を有していることが好ましい。
快感情喚起シートは、少なくとも一方の面の平均摩擦係数ＭＩＵが、好ましくは０．１以上であり、また好ましくは０．３以下、より好ましくは０．２７以下である。
【００５８】
前記平均摩擦係数ＭＩＵは、以下の方法により測定される。
〔平均摩擦係数ＭＩＵの測定方法〕
快感情喚起シートから、２０ｃｍ×１０ｃｍの試験片を切り出し、平滑な金属平面の試験台に取りつける。次いで、試験片の長手方向に沿って、該試験片と接触子とを接触させながら、該接触子を往復移動させる。具体的には、接触子の接触面を４９ｃＮの力で試験片の肌当接面に圧着しながら、該試験片を０．１ｃｍ／ｓｅｃの一定速度で水平に２ｃｍ移動させる。この際、試験片には１９．６ｃＮ／ｃｍの一軸張力が加えられる。接触子は、０．５ｍｍ径のピアノ線を２０本並べ幅１０ｍｍでＵ字状に曲げたものであり、重錘によって４９ｃＮの力で試験片を圧着する。この接触子による前記往復移動の往路及び復路それぞれの摩擦係数を測定し、下記式（２）から平均値を算出して、これを平均摩擦係数ＭＩＵとする。下記式（２）において、往路の摩擦係数がＭＩＵＭＤ１であり、復路の摩擦係数がＭＩＵＭＤ２である。
平均摩擦係数ＭＩＵ＝｛（ＭＩＵＭＤ１２＋ＭＩＵＭＤ２２)／２｝1／2      （２）
【００５９】
肌触りを向上させる観点から、快感情喚起シートの厚みは、好ましくは１ｍｍ以上、より好ましくは１．１ｍｍ以上であり、また好ましくは８ｍｍ以下、より好ましくは５ｍｍ以下であり、また好ましくは１ｍｍ以上８ｍｍ以下、より好ましくは１．１ｍｍ以上５ｍｍ以下である。
【００６０】
快感情喚起シートの厚みは以下の方法により測定される。
〔快感情喚起シートの厚みの測定方法〕
測定対象物であるシートを水平な場所にシワや折れ曲がりがないように静置し、５ｃＮ／ｃｍ２の荷重下での最大厚みを、シートの厚みとして測定する。シートの厚みの測定には、厚み計  ＰＥＡＣＯＣＫ  ＤＩＡＬ  ＵＰＲＩＧＨＴ  ＧＡＵＧＥＳ  Ｒ５−Ｃ（ＯＺＡＫＩ  ＭＦＧ．ＣＯ．ＬＴＤ．製）を用いる。このとき、厚み計の先端部と測定対象物における測定部分との間に、平面視円形状又は正方形状のプレート（厚さ５ｍｍ程度のアクリル板）を配置して、荷重が５ｃＮ／ｃｍ２となるようにプレートの大きさを調整する。
【００６１】
ふんわりと柔らかな感触を得る観点から、快感情喚起シートは、一方の面に凹部及び凸部を有する凹凸領域を有していることが好ましい。凹凸領域には、一方の面側に突出する凸部が複数形成されているとともに、凸部どうしの間に位置する凹部が複数形成されていることが好ましい。この場合、凸部が突出している側の面を肌当接面とすることが好ましい。凹凸領域を有するシートは、積層された第１シート及び第２シートが複数の接合部において互いに接合されている複合シートであって、第１シートが接合部以外の部位において第２シートから離れる方向に突出して凸部を形成していることが好ましい。第１及び第２シートそれぞれは繊維シートからなることが好ましく、該繊維シートは、不織布、織布、編物、抄紙又はこれらの積層体等であることが好ましい。
【００６２】
前述した構成の凹凸領域を有するシートを製造するには、例えば特開２０１５−１１２３４３号公報等に記載の方法と同様にして、帯状の第１シートを、周面が互いに噛み合い形状となっている第１ロールと第２ロールとの間に供給して、第１シートを凹凸形状に変形させた後、第１シートを第１ロールの周面部に沿わせて噛み合い部分から移動させた後、第２シートを第１シートに重ね合わせるように供給して両シートを、第１ロールにおける凸部とヒートロールとの間で加熱下に挟圧して部分的に接合させる。そして、その際、第１シートの中央部と側部とで、第１ロール及び第２ロールの凹凸形状、及び第１ロールとヒートロールで形成する接合部のパターンを異ならせる。なお、第１ロールと第２ロールとの噛み合い部に噛み込ませて第１シートを凹凸形状に変形させる際には、第１シートをロール内部方向に向けて吸引して、第１シートの凹凸形状への変形を促進させることが好ましい。
【００６３】
ふんわりと柔らかく、温かい感触であり、心地良い肌触りを得る観点から、快感情喚起シートは、不織布、織布、編物、抄紙又はこれらの積層体であることが好ましい。
また、ふんわりと柔らかく、温かい感触であり、滑らかな感触を得る観点から、快感情喚起シートの少なくとも一方の面が、不織布によって形成されていることが好ましい。
【００６４】
快感情喚起シートに用いられる不織布としては、例えば、エアスルー不織布、スパンボンド不織布、スパンレース不織布、メルトブローン不織布、レジンボンド不織布、ニードルパンチ不織布などが挙げられる。これらの不織布を２種以上組み合わせた積層体や、これらの不織布とフィルム等とを組み合わせた積層体を用いることもできる。これらのなかでも、エアスルー不織布又はスパンボンド不織布を用いることが好ましい。
また、前記不織布の坪量は、好ましくは１０ｇ／ｍ2以上、より好ましくは１５ｇ／ｍ2以上であり、また好ましくは４０ｇ／ｍ2以下、より好ましくは３５ｇ／ｍ2以下であり、また好ましくは１０ｇ／ｍ2以上４０ｇ／ｍ2以下、より好ましくは１５ｇ／ｍ2以上３５ｇ／ｍ2以下である。
【００６５】
不織布を構成する繊維としては、熱可塑性樹脂等の繊維を用いることができる。熱可塑性樹脂としては、ポリエチレン、ポリプロピレン、ポリブデン等のポリオレフィン、ポリエチレンテレフタレート、ポリブチレンテレフタレート等のポリエステル、ナイロン６、ナイロン６６等のポリアミド、ポリアクリル酸、ポリメタクリル酸アルキルエステル、ポリ塩化ビニル、ポリ塩化ビニリデン等が挙げられる。これらの樹脂は１種を単独で又は２種以上のブレンド物として用いることができる。また、芯鞘型やサイド・バイ・サイド型などの複合繊維の形態で用いることができる。
【００６６】
快感情喚起性能を向上させる観点から、不織布の何れか一方の面側を構成する繊維の繊度は、好ましくは０．５ｄｔｅｘ以上であり、好ましくは３．３ｄｔｅｘ以下、より好ましくは２．５ｄｔｅｘ以下であることがより好ましい。不織布の何れか一方の面側が斯かる繊維により構成されている、即ち、当該繊維が不織布表面の少なくとも一部から露出していることによって、手触りをより心地良くすることができる。前記繊維の繊度は以下のようにして測定する。
【００６７】
〔繊維の繊度の測定方法〕
荷重がかかっていない状態の不織布から、５０ｍｍ×１００ｍｍ（面積５０００ｍｍ２）の長方形状に切り出して測定用サンプルを作製する。次いで、測定用サンプルを断面視して、何れか一方の面から厚さ方向に０．２ｍｍ間隔を空けた位置における繊維１０本の繊維太さを、電子顕微鏡を用いて実測し、繊維太さ平均値Ｄｎ（μｍ）を算出する。次いで、前記一方の面から厚さ方向に０．２ｍｍ間隔を空けた位置における繊維の構成樹脂を特定し、示差走査熱量測定器（ＤＳＣ）を用いて、理論繊維存在密度Ｐｎ（ｇ／ｃｍ３）を求める。得られた繊維太さ平均値Ｄｎ（μｍ）及び理論繊維存在密度Ｐｎ（ｇ／ｃｍ３）から、繊維長さ１０，０００ｍ当たりの重さ（ｇ）を算出して、この算出された値を前記一方の面側における繊維の繊度（ｄｔｅｘ）とする。
【００６８】
上述した快感情喚起シートは、接触によってオキシトシン量を増加させて、快感情を喚起させ得る。このような快感情喚起シートを用いた物品において、該シートの何れか一方の面がヒトの皮膚に接触可能に配されていると、該物品に触れたときに、快感情を喚起し得る。
快感情喚起シートを用いた物品は、使用者の皮膚や毛に接触し得る物品であることが好ましい。このような物品としては、衣類、装着品、装具、寝具、カバー又は玩具等が挙げられる。
【００６９】
前記衣類としては、例えば肌着、下着、シャツ、コート、パーカー、スカート、ジャンパー、ワンピース、ジャケット、パンツ、スウェット、使い捨ておむつ等の吸収性物品等が挙げられる。衣類においてヒトの皮膚に接触可能に配される部位としては、例えば、衣類の外表面や裏面等が挙げられる。吸収性物品は、主として尿、経血等の身体から排泄される体液を吸収保持するために用いられるものである。吸収性物品には、例えば使い捨ておむつ、生理用ナプキン、失禁パッド、パンティライナー等が包含されるが、これらに限定されるものではなく、人体から排出される液の吸収に用いられる物品を広く包含する。吸収性物品は、典型的には、図２に示すおむつ１０のように、表面シート、裏面シート及び両シート間に介在配置された液保持性の吸収体を具備している。この他に吸収性物品としては、裏面シートよりも非肌当接面側に配され、吸収性物品の外面を形成する外装体を具備するものもある。吸収性物品はさらに、その具体的な用途に応じた各種部材を具備していても良い。そのような部材は当業者に公知である。吸収性物品においてヒトの皮膚に接触可能に配される部位は、肌に当接させる構成部材で構成される。「肌に当接される構成部材」は、着用者や該着用者の保護者等の使用者の肌に当接される構成部材であり、当該構成部材としては、例えば表面シート、外装体等が挙げられる。
【００７０】
前記装着品としては、腕輪等のアクセサリー類、シューズやサンダル、スリッパ等の靴、靴下、手袋、ベルト、帽子、腹巻、スカーフ、ストール等の装身具が挙げられる。靴の中敷、手袋や帽子等の裏地が挙げられる。装着品においてヒトの皮膚に接触可能に配される部位としては、例えば、靴の中敷や、靴下、手袋、帽子等の裏面等が挙げられる。
【００７１】
前記装具としては、肘、手首等の関節の補助、痛みの緩和、リハビリテーション、治療等に用いられる医療用装具や、姿勢の矯正やスポーツ等に用いられる補助装具等が挙げられる。医療用装具としては、関節用のプロテクター、貼布剤の他、包帯、眼帯、ガーゼ、マスク等の衛生用品が挙げられる。補助装具としては、コルセット、サポーター等が挙げられる。装具においてヒトの皮膚に接触可能に配される部位としては、例えば、靴の中敷や、靴下、手袋、帽子等の裏面等が挙げられる。
【００７２】
前記寝具としては、布団、マット、マットレス、ベッド、クッション、又は枕等が挙げられる。布団には、敷布団や掛け布団の他、こたつ布団等が含まれる。
前記カバーとしては、布団カバー、クッションカバー、枕カバー、シーツ、ソファカバー、座布団カバー、自動車等の座席用カバー、便座カバー等が挙げられる。シーツは、マット、マットレス、ベッド等を覆うものを意味する。
前記玩具としては、ぬいぐるみ、ぬいぐるみ用の衣類、装着品等が挙げられる。
寝具、カバー、又は玩具においてヒトの皮膚に接触可能に配される部位としては、例えば、寝具、カバー、又は玩具の表面等が挙げられる。
また、快感情喚起シートを用いた物品は、上述した物品以外の他の製品であってもよい。前記他の製品としては、ハンカチ、タオル、ランチョンマット、テーブルクロス等が挙げられる。
【００７３】
乳幼児のオキシトシン量を増加させることは、乳幼児と保護者等との愛着形成や乳幼児の発達に有効であると考えられる。斯かる観点から、快感情喚起シートは、乳幼児用の物品に用いられることが好ましい。この場合、乳幼児用の物品において、快感情喚起シートの何れか一方の面が接触可能に配されていると、該物品に触れた乳幼児や保護者等に、快感情を喚起し得る点で好ましい。
快感情喚起シートを用いた乳幼児用の物品としては、乳幼児用の使用者の皮膚や毛に接触し得る物品であることが好ましい。このような物品としては、乳幼児用の衣類、装着品、寝具、カバー又は玩具等が挙げられる。これら衣類、装着品、寝具、カバー又は玩具としては、特に矛盾しない限り、乳幼児用であって、上記で例示したものが挙げられる。
また、乳幼児用の衣類としては、乳幼児用であって、上記で例示したもの以外に、カバーオール等が挙げられる。
乳幼児用の装着品としては、乳幼児用であって、上記で例示したもの以外に、よだれかけ、おくるみ、ミトン等の装身具が挙げられる。
乳幼児用のカバーとしては、ベビーカー等の座席用カバー、チャイルドシート用カバー等が挙げられる。
【００７４】
上述した物品、乳幼児用の物品又はその包装には、当該物品の購入者や使用者に、快感情喚起性能を有するシートを用いた物品であること、あるいは快感情喚起し得る物品であることを理解させるための説明表示を設けることが好ましい。斯かる説明表示としては、例えば「パパママも、赤ちゃんも幸福いっぱい」、「オキシトシン量が増加する機能があります」といった文字や、そのようなことを示唆するイラスト等を、印刷等の任意の方法により設けることが挙げられる。
【００７５】
以上、本発明をその好ましい実施態様及び実施形態に基づき説明したが、本発明は前述した各実施形態に制限されず、適宜変更可能である。
また、上述した本発明の評価方法は、該評価方法による評価結果に基づき選定したシートを肌に当接される構成部材として決定する、吸収性物品の設計方法に好ましく用いられる。「肌に当接される構成部材」は、前述したとおり、例えば表面シートや外装体等の構成部材である。「評価結果に基づき選定したシート」は、例えば前述の快感情喚起シートである。前記吸収性物品の設計方法では、複数のシートについて本発明の評価方法を行い、前記評価結果に基づき、該複数のシートから快感情喚起シートを選定することが好ましい。
また、前記設計方法により選定したシートは、吸収性物品の製造方法に用いられる。即ち、前記の設計方法により設計した吸収性物品を、前記の選定したシートを用いて製造する。前記製造方法により得られる吸収性物品は、該吸収性物品と接触した着用者や保護者等の使用者に対し快感情を喚起し得る。
【００７６】
上述した実施態様及び実施形態に関し、本発明はさらに以下のシートの快感情喚起性能の評価方法、快感情喚起シート、及び物品を開示する。
＜１＞
シートが、接触により快感情を喚起させる能力を有するか否か又は該能力の程度を評価する、シートの快感情喚起性能の評価方法であって、
以下の工程（Ａ）〜（Ｄ）を含む、シートの快感情喚起性能の評価方法。
（Ａ）動物の皮膚又は毛に、評価対象である試験シートを接触させて該動物に触覚刺激を付与する工程
（Ｂ）前記触覚刺激の付与後に前記動物から生体試料を採取する工程
（Ｃ）前記生体試料中のオキシトシン量を測定する工程
（Ｄ）測定した前記オキシトシン量を、前記触覚刺激の影響がない条件下に前記動物から採取した生体試料中のオキシトシン量と比較する工程
【００７７】
＜２＞
前記工程（Ｂ）においては、前記触覚刺激の付与後６０分以内に前記動物から生体試料を採取する、前記＜１＞に記載の評価方法。
＜３＞
前記試験シートは、オキシトシン又はオキシトシン誘発剤を含んでいない、前記＜１＞又は＜２＞に記載の評価方法。
＜４＞
前記触覚刺激の影響がない時点は、該触覚刺激の付与前である、前記＜１＞〜＜３＞の何れか１に記載の評価方法。
＜５＞
前記試験シートの接触による触覚刺激を付与する前において前記生体試料を採取するタイミングは、触覚刺激を付与する３０分前から直前までの間、好ましくは１５分前から直前までの間であり、
前記生体試料の採取にかかる時間は、５分以上１５分以内であり、好ましくは１０分間である、前記＜４＞に記載の評価方法。
＜６＞
前記工程（Ｄ）においては、前記触覚刺激の影響がない条件下に動物から採取した生体試料中のオキシトシン量に対する、前記工程（Ｃ）において測定されたオキシトシン量の変化率が１０％以上、好ましくは３０％以上増加していれば、前記試験シートは快感情喚起性能を有すると判定する、前記＜１＞〜＜５＞の何れか１に記載の評価方法。
＜７＞
前記工程（Ｄ）においては、以下の工程（Ｄ１）又は（Ｄ２）を実施し、前記工程（Ｃ）において測定したオキシトシン量が、触覚刺激の影響がない条件下に動物から採取した生体試料中のオキシトシン量に対して１０％以上、好ましくは３０％以上に増加していれば、試験シートは快感情喚起性能を有すると判定する、前記＜６＞に記載の評価方法。
（Ｄ１）測定した前記オキシトシン量を、前記触覚刺激を付与する前に前記動物から採取した生体試料中のオキシトシン量と比較する工程
（Ｄ２）測定した前記オキシトシン量を、前記触覚刺激を付与した後に、該触覚刺激によるオキシトシン量の変化が収まった時点で前記動物から採取した生体試料中のオキシトシン量と比較する工程
＜８＞
前記工程（Ｄ）においては、以下の工程（Ｄ３）を実施し、
前記工程（Ｄ３）において、触覚刺激を付与した個体群から採取した生体試料のオキシトシン量が、触覚刺激を付与していない個体群から採取した生体試料中のオキシトシン量に対して１０％以上、好ましくは３０％以上に増加していれば、試験シートは快感情喚起性能を有すると判定する、前記＜６＞又は＜７＞に記載の評価方法。
（Ｄ３）測定した前記オキシトシン量が触覚刺激を付与した個体群から採取した生体試料のオキシトシン量であり、該オキシトシン量を、前記触覚刺激を付与しない別の個体群から採取した生体試料中のオキシトシン量と比較する工程
＜９＞
前記工程（Ａ）においては、前記動物の皮膚の有毛部又は無毛部を、前記試験シートの表面に接触させた状態で移動させることによって、前記動物に触覚刺激を付与する、前記＜１＞〜＜８＞の何れか１に記載の評価方法。
＜１０＞
前記無毛部が、掌である、前記＜９＞に記載の評価方法。
＜１１＞
前記工程（Ａ）においては、前記動物に前記触覚刺激を連続的又は断続的に３０秒以上付与する、前記＜１＞〜＜１０＞の何れか１に記載の評価方法。
【００７８】
＜１２＞
前記工程（Ａ）においては、前記動物に前記触覚刺激を連続的又は断続的に付与する時間は、３０秒以上、好ましくは４５秒以上、より好ましくは６０秒以上であり、また６００秒以下、好ましくは４５０秒以下、より好ましくは３００秒以下であり、また３０秒以上６００秒以下、好ましくは４５秒以上４５０秒以下、より好ましくは６０秒以上３００秒以下である、前記＜１１＞に記載の評価方法。
＜１３＞
前記工程（Ａ）においては、前記動物に前記触覚刺激を連続的に３０秒以上付与する、前記＜１１＞に記載の評価方法。
＜１４＞
前記工程（Ａ）においては、前記動物に前記触覚刺激を連続的に付与する時間は、３０秒以上、好ましくは４５秒以上、より好ましくは６０秒以上であり、また３００秒以下、好ましくは２４０秒以下、より好ましくは１８０秒以下であり、また３０秒以上３００秒以下、好ましくは４５秒以上２４０秒以下、より好ましくは６０秒以上１８０秒以下である、前記＜１１＞に記載の評価方法。
＜１５＞
前記工程（Ａ）において、前記触覚刺激を付与する工程、及び安静状態とする工程のサイクルを繰り返すことにより、前記動物に該触覚刺激を断続的に付与し、
前記触覚刺激を付与する時間が、１５秒以上１８０秒以下、好ましくは３０秒以上１２０秒以下であり、
前記安静状態とする時間が、１５秒以上１８０秒以下、好ましくは３０秒以上１２０秒以下である、前記＜１１＞に記載の評価方法。
＜１６＞
前記生体試料は、血液、血清、血漿、尿、又は唾液である、前記＜１＞〜＜１５＞の何れか１に記載の評価方法。
＜１７＞
複数のシートについて、前記＜１＞〜＜１６＞の何れか１項に記載の評価方法による評価を行い、その評価結果に基づき選定したシートを肌に当接させる構成部材として決定する、吸収性物品の設計方法。
＜１８＞
前記＜１７＞に記載の設計方法により設計した吸収性物品を、前記選定したシートを用いて製造する、吸収性物品の製造方法。
【００７９】
＜１９＞
以下の工程（Ａ）〜（Ｃ）、工程（Ｄ）及び（Ｅ）を含むシートの評価方法により、接触により快感情を喚起させる能力を有すると判定される、快感情喚起シート。
（Ａ）動物の皮膚又は毛に、評価対象である試験シートを接触させて該動物に触覚刺激を付与する工程
（Ｂ）前記触覚刺激の付与後に前記動物から生体試料を採取する工程
（Ｃ）前記生体試料中のオキシトシン量を測定する工程
（Ｄ）測定した前記オキシトシン量を、前記触覚刺激の影響がない条件下に前記動物から採取した生体試料中のオキシトシン量と比較する工程
（Ｅ）前記工程（Ｄ）における比較により、オキシトシン量の変化率又はオキシトシン量の差に基づいて、前記試験シートが、接触により快感情を喚起させる能力を有することを判定する工程
＜２０＞
前記工程（Ｂ）においては、前記触覚刺激の付与後６０分以内に前記動物から生体試料を採取する、前記＜１９＞に記載の快感情喚起シート。
＜２１＞
前記工程（Ｄ）においては、測定した前記オキシトシン量が、前記触覚刺激を付与した個体群から採取した生体試料中のオキシトシン量であり、該オキシトシン量を、前記触覚刺激を付与しない別の個体群から採取した生体試料中のオキシトシン量と比較し
前記工程（Ｅ）においては、前記工程（Ｄ）における比較により、オキシトシン量の差に基づいて、前記試験シートが、接触により快感情を喚起させる能力を有することを判定する、前記＜１９＞又は＜２０＞に記載の快感情喚起シート。
＜２２＞
前記快感情喚起シートは、圧縮仕事量が２．０ｍＮ・ｃｍ／ｃｍ２以上、好ましくは２．５ｍＮ・ｃｍ／ｃｍ２以上、より好ましくは３．５ｍＮ・ｃｍ／ｃｍ２以上であり、また２０ｍＮ・ｃｍ／ｃｍ２以下である、前記＜１９＞〜＜２１＞の何れか１に記載の快感情喚起シート。
＜２３＞
前記快感情喚起シートは、圧縮回復率ＲＣが４０％以上、好ましくは４６％以上、より好ましくは５２％以上であり、また８５％以下である、前記＜１９＞〜＜２２＞の何れか１に記載の快感情喚起シート。
＜２４＞
前記快感情喚起シートは、圧縮仕事量が２．０ｍＮ・ｃｍ／ｃｍ２以上であり、且つ圧縮回復率が４０％以上である、前記＜２２＞又は＜２３＞に記載の快感情喚起シート。
【００８０】
＜２５＞
前記快感情喚起シートは、少なくとも一方の面の平均摩擦係数ＭＩＵが０．３以下である、前記＜１９＞〜＜２４＞の何れか１に記載の快感情喚起シート。
＜２６＞
前記快感情喚起シートは、少なくとも一方の面の平均摩擦係数ＭＩＵが０．１以上であり、また０．３以下であり、好ましくは０．２７以下である、前記＜２５＞に記載の快感情喚起シート。
＜２７＞
前記快感情喚起シートの厚みが１ｍｍ以上である、前記＜１９＞〜＜２６＞の何れか１に記載の快感情喚起シート。
＜２８＞
前記快感情喚起シートの厚みが１ｍｍ以上、好ましくは１．１ｍｍ以上であり、また８ｍｍ以下、好ましくは５ｍｍ以下であり、また１ｍｍ以上８ｍｍ以下、好ましくは１．１ｍｍ以上５ｍｍ以下である、前記＜２７＞に記載の快感情喚起シート。
＜２９＞
前記快感情喚起シートは、一方の面に凹部及び凸部を有する凹凸領域を有する、前記＜１９＞〜＜２８＞の何れか１に記載の快感情喚起シート。
＜３０＞
前記快感情喚起シートは、不織布、織布、編物、抄紙又はこれらの積層体である、前記＜１９＞〜＜２９＞の何れか１に記載の快感情喚起シート。
＜３１＞
前記快感情喚起シートの少なくとも一方の面が、不織布によって形成されている、前記＜１９＞〜＜３０＞の何れか１に記載の快感情喚起シート。
＜３２＞
前記快感情喚起シートは、繊度３．３ｄｔｅｘ以下の繊維を含んでおり、該繊維の一部が該シートの表面の一部に露出している、前記＜３０＞又は＜３１＞に記載の快感情喚起シート。
【００８１】
＜３３＞
前記＜１９＞〜＜３２＞の何れか１に記載の快感情喚起シートを用いた物品であって、該シートの何れか一方の面がヒトの皮膚に接触可能に配されており、
前記物品が、衣類、装着品、装具、寝具、カバー又は玩具である、物品。
＜３４＞
前記＜１９＞〜＜３２＞の何れか１に記載のシートを用いた乳幼児用の物品であって、該シートの何れか一方の面がヒトの皮膚に接触可能に配されており、
前記物品が、衣類、装着品、おむつ、寝具又は玩具である、物品。
【実施例】
【００８２】
以下、本発明を実施例によりさらに具体的に説明するが、本発明は斯かる実施例に限定されるものではない。
【００８３】
〔実施例１〕
凹部及び凸部が形成された凹凸領域を有する凹凸シートを作製した。凹凸シートは、前述した方法により、凹凸形状に変形させた第１シートと、第２シートとを重ね合わせた状態で、両シートを熱融着により接合して作製した。この際、第１ロールと第２ロールとの噛み合い深さを調整することにより、大凹凸形状の凹凸シートを作製した。凹部は、凸部以外の部位に形成されている。第１及び第２シートとしては、芯成分がポリエチレンテレフタレート（ＰＥＴ）、鞘成分がポリエチレン（ＰＥ）の芯鞘型繊維を構成繊維とする坪量１８ｇ／ｍ２のエアスルー法により得られた不織布をそれぞれ用いた。第２シートとしては、芯成分がポリエチレンテレフタレート（ＰＥＴ）、鞘成分がポリエチレン（ＰＥ）の芯鞘型繊維を構成繊維とする坪量１８ｇ／ｍ２のエアスルー法により得られた不織布を用いた。
【００８４】
〔実施例２〕
第１ロールと第２ロールとの噛み合い深さを調整することにより、凸部の高さが、実施例１における凸部より低い中凹凸形状の凹凸シートを作製した。第１ロールと第２ロールとの噛み合い深さ以外は、実施例１と同様の方法によってシートを作製した。
【００８５】
〔実施例３〕
第１ロールと第２ロールとの噛み合い深さを調整することにより、凸部の高さが、実施例２における凸部より低い小凹凸形状の凹凸シートを作成した。第１ロールと第２ロールとの噛み合い深さ以外は、実施例１と同様の方法によってシートを作製した。
【００８６】
〔比較例１〕
凹部及び凸部がないフラットシートを作製した。第１シートを凹凸形状に変形させなかった点以外は、実施例１と同様の方法によってシートを作製した。
【００８７】
実施例１〜３、比較例１の各シートについて、凸部の頂部の可動範囲、該シートの肌当接面の表面特性、及び該シートの物性を下記表１に示す。これらの測定方法は上述した方法により測定したものである。ここでいうシートの肌当接面は、後述するオキシトシン量の測定において、パネラーの手と接触する面である。
【００８８】
〔オキシトシン量の測定〕
実施例１〜３、比較例１の各シートを、おむつの表面シートとして用いた。各シートは、その長手方向が、おむつの長手方向と一致するように、おむつに組み込まれた。表面シートの凸部側の面が上になるようにおむつを置いた。次いで、２０〜３０代の健常女性パネラー１０名に、試験シートを触れさせることで触覚刺激を付与し、該触覚刺激の前後で各パネラーの唾液を生体試料として採取した。パネラーには、図２に示すように、両手の掌をおむつの表面シートに触れさせることで、触覚刺激を付与した。また、触覚刺激として、前記表面シートを、掌で３０秒間触れる工程、及び何も触れずに３０秒間安静にする工程のサイクルを５回繰り返した。この触覚刺激の直後に、口腔内を水で漱口した後、口腔内の全唾液を、１０分間に亘って遠沈管（５０ｍＬ容量）に吐き出させ、これを「刺激後０分〜１０分の生体試料」とした。これと同様の方法で、触覚刺激付与の３０分前から１０分間かけて唾液を採取し、これを「触覚刺激前の生体試料」とした。また、「刺激後０分〜１０分の生体試料」を採取した後、さらに２０分間安静にした後においても、前記と同様の方法により唾液を採取し、これを「刺激後３０〜４０分の生体試料」とした。採取した唾液は、速やかにドライアイスで冷却した後、−８０℃で保管した。
【００８９】
採取した唾液を、１５，０００ｒｐｍで１０分間、遠心分離した後、上清を採取し、該上清と等量の０．１％（ｖ/ｖ）トリフルオロ酢酸（ＴＦＡ）を混和した。この混和したものを３，０００ｒｐｍで３０分間、遠心分離し、上清を採取した。この上清をＳｅｐ−ｐａｋ  Ｃ１８カラム（２００ｍｇ、３ｃｃ、Ｗａｔｅｒｓ）に供し、下記のように抽出を行った。Ｃ１８カラムに１ｍＬの１００％アセトニトリル（ＡＣＮ）、次いで１０ｍＬの０．１％ＴＦＡ溶液（ｖ/ｖ）を通し、その後で０．１％ＴＦＡ溶液（ｖ/ｖ）と混和した全唾液（３．０〜６．０ｍＬ）を通し、１０ｍＬの０．１％ＴＦＡ溶液（ｖ/ｖ）で洗浄した後、３ｍＬの（９５％ＡＣＮ／５％（０．１％ＴＦＡ溶液））（ｖ/ｖ）で溶出させた。溶出した溶液のＡＣＮをＮ２ガスで揮発させ、残った水溶液を凍結乾燥に供した。得られた凍結乾燥品を、Oxytocin ELISA kit （Enzo）のAssay Buffer２５０μＬに溶解し、上記キットを用いて唾液中のオキシトシンを定量した。そして、触覚刺激前の生体試料におけるオキシトシン量の平均値を１００％とし、これに対する触覚刺激付与後の生体試料におけるオキシトシン量の変化率を求めた。また、触覚刺激前後におけるオキシトシン量の有意差の有無を、Dunnett検定を用いて確認した。図３に、触覚刺激の前後におけるオキシトシン量のグラフを示す。
【００９０】
〔肌触りの評価〕
前述の〔オキシトシン量の測定〕において、触覚刺激直後の唾液を採取した後、パネラーに、シートの肌触りについて７段階評価を実施した。「どちらともいえない」を中央に、「とても良い」側に３段階「非常に良くない」側に３段階とし、パネラー１０名の平均値を評価結果とした。下記表１に評価結果を示す。
「とても良い」：７点
「良い」：６点
「やや良い」：５点
「どちらともいえない」：４点
「やや良くない」：３点
「良くない」：２点
「非常に良くない」：１点
【００９１】
【表１】
2019207233.tif 000005
【００９２】
図３の結果によれば、実施例１〜３の各シートでは、触覚刺激により、オキシトシン量が有意に増加した。即ち、触覚刺激によって快感情が喚起され得る効果が期待できる。また、実施例１〜３の各シートでは、肌触りが「とても良い」又は「良い」「やや良い」の評価が得られた。一方、比較例１のシートでは、触覚刺激の前後のオキシトシン量に変化がなく、肌触りも良くなかった。
【図１】
2019207233.tif 000006
【図２】
2019207233.tif 000007
【図３】
2019207233.tif 000008